(57)【特許請求の範囲】
【請求項１】
デジタル比較データワードに従ってアナログ出力電流を第１抵抗に供給するとともにこの第１抵抗に並列に出力負荷が存在する場合にはこの出力負荷に供給するようにしたデジタル−アナログ電流変換器の出力負荷をモニタする回路配置において、前記デジタル−アナログ電流変換器に供給されるデータワードと少なくとも１つの比較データワードとを比較するデジタル第１比較器と；前記第１抵抗の両端間の電圧降下と少なくとも１つの基準電圧とを比較器するとともにその出力信号がフリップフロップに供給されるアナログ第２比較器と；前記第１比較器および前記フリップフロップの出力信号に従って出力負荷の大きさおよび／または存在をモニタする比較回路とを具えることを特徴とする出力負荷モニタ回路配置。
【請求項２】
前記比較データワードおよび基準電圧は、出力負荷が接続される際に、ほぼ等しいデューティサイクルが前記第１比較器および前記フリップフロップの出力信号に発生するように、その大きさを決めることを特徴とする請求項１に記載の出力負荷モニタ回路配置。
【請求項３】
前記比較回路は，これに供給される信号に低域通過フィルタ処理を施すフィルタをその前段に設けるようにしたことを特徴とする請求項１に記載の出力負荷モニタ回路配置。
【請求項４】
前記比較回路は，これに供給される信号の瞬時デューティサイクルを検出するとともにこれら信号を比較回路に供給する検出回路をその前段に設けるようにしたことを特徴とする請求項１に記載の出力負荷モニタ回路配置。
【請求項５】
前記デジタル第１比較器の出力信号はデジタル−アナログ電流変換器の信号遅延を補償する遅延素子に通過させるようにしたことを特徴とする請求項１に記載の出力負荷モニタ回路配置。
【請求項６】
前記デジタル−アナログ電流変換器はビデオ信号を変換せしめ、前記第１抵抗は７５Ωの抵抗値を有し、前記出力負荷は７５Ωの公称抵抗値を有し、前記比較データワードおよび基準電圧は、前記出力負荷のこの抵抗値に対して、前記比較回路に供給される信号がほぼ等しいデューティサイクルを有するように、その大きさを決めることを特徴とする請求項１に記載の出力負荷モニタ回路配置。
【請求項７】
前記出力負荷をほぼ７５Ωの抵抗値を有するコンピュータモニタとすることを特徴とする請求項１に記載の出力負荷モニタ回路配置。
【請求項８】
前記比較回路によって回路配置を制御して所定の時間間隔に出力負荷が検出されない場合に出力信号を供給しないようにすることを特徴とする請求項１に記載の出力負荷モニタ回路配置。
【請求項９】
前記比較回路によって回路配置を制御して
出力負荷の抵抗値がその公称値の抵抗値から所定値だけずれる場合に出力信号を発生しないようにしたことを特徴とする請求項１に記載の出力負荷モニタ回路配置。
【請求項１０】
複数の関連する比較データワードおよび基準電圧を一度に供給（発生）することを特徴とする請求項１に記載の出力負荷モニタ回路配置。
【請求項１１】
請求項１〜１０の何れかの項に記載の回路配置をコンピュータグラフィック回路に用いるようにしたことを特徴とするコンピュータグラフィック回路。
【請求項１２】
請求項１〜１０の何れかの項に記載の回路配置をデジタル−アナログ電流変換器（１）の出力振幅の制御に用いるようにしたことを特徴とする制御装置。
【請求項１３】
請求項１〜１０の何れかの項に記載の回路配置をデジタル−アナログ電流変換器（１）の出力信号の帯域幅のモニタに用いるようにしたことを特徴とするモニタ装置。
【請求項１４】
請求項１〜１０の何れかの項に記載の回路配置を出力負荷に供給する外部信号のモニタに用いるようにしたことを特徴とするモニタ装置。
【発明の詳細な説明】
【０００１】
【産業上の利用分野】
本発明はデジタル比較データワードに従ってアナログ出力電流を第１抵抗に供給するとともにこの第１抵抗に並列に出力負荷が存在する場合にはこの出力負荷に供給するようにしたデジタル−アナログ電流変換器の出力負荷をモニタする回路配置に関するものである。
【０００２】
【従来の技術】
この種基地の回路配置では、一般に例えばパーソナルコンピュータの一部分を形成しう回路配置をスイッチオンする際に、１つの抵抗または複数の抵抗の両端間に現われる出力電圧を一回だけチェックするようにしている。この目的のために、所定のデータワードを供給するとともに抵抗の両端間の電圧降下を基準電圧と比較する。この一回だけの比較によって、出力負荷がこの時点に存在するか否かを単に検出するようにしている。
【０００３】
しかし、出力負荷の大きさをモニタすることはできない。回路配置の作動中に出力負荷を除去する場合には、これを検出することはできない。
【発明が解決しようとする課題】
本発明の目的は連続的に出力負荷をモニタし得るようにした上述した種類の出力負荷モニタ回路配置を提供せんとするにある。
【０００４】
【課題を解決するための手段】
本発明はデジタル比較データワードに従ってアナログ出力電流を第１抵抗に供給するとともにこの第１抵抗に並列に出力負荷が存在する場合にはこの出力負荷に供給するようにしたデジタル−アナログ電流変換器の出力負荷をモニタする回路配置において、前記デジタル−アナログ電流変換器に供給されるデータワードと少なくとも１つの比較データワードとを比較するデジタル第１比較器と；前記第１抵抗の両端間の電圧降下と少なくとも１つの基準電圧とを比較器するとともにその出力信号がフリップフロップに供給されるアナログ第２比較器と；前記第１比較器および前記フリップフロップの出力信号に従って出力負荷の大きさおよび／または存在をモニタする比較回路とを具えることを特徴とする。
【０００５】
本発明によるこの回路配置によって出力負荷の連続チェックを行ない、すち出力負荷が存在するかどうか、および出力負荷が所定の大きさを有するどうかを連続的にモニタする。
【０００６】
この目的のために、定常の作動中デジタル−アナログ電流変換器が受けるデータワードをデジタル第１比較器に供給して、これによりデータワードと比較データワードとを比較する。任意時間に、およびデータワード毎に、この比較によってこのデータワードが比較データワードよりも大きいか、または小さいかを示す。
【０００７】
アナログ第１比較器によって第１抵抗または並列接続の２つの抵抗の両端間の電圧降下と少なくとも１つの基準電圧とを比較する。この電圧降下の大きさは外部出力負荷が第１抵抗に並列に配列されているかどうか、およびこの出力負荷が所定の大きさを有するかどうかに依存する。比較器により２つの電圧を比較し、且つその出力信号をフリップフロップによりデジタル信号に変換することによって、２つの電圧値の何れが大きいかの連続表示を行う信号を発生する。
【０００８】
これがため、第１比較器およびフリップフロップの出力信号は基本的には同様の情報を発生する。前述した抵抗値および正しく補正された出力負荷の場合には、双方の出力信号はほぼ同一のデューティサイクル、即ち、データワードまたは出力電圧が比較値よりも大きいほぼ等しい時間間隔およびこれらデータワードまたは出力電圧が比較値よりも小さい時間間隔を発生する。この処理は、これらデューティサイクルから出力負荷の存在および大きさに関する結論をくだすことのできる比較回路によって行なわれる。
【０００９】
特に、出力負荷の大きさ検出を改善するために、いくつかのデータワードおよび大きさが異なる基準電圧を設け、これによりデジタルワードおよびアナログ電圧の一層精細な格付けを行なうことができる。
【００１０】
所望に応じ、上述した比較は回路配置およびデジタル−アナログ電流変換器の常規作動中連続して行なうことができ、従って出力負荷の存在および大きさを比較回路により連続してモニタすることができる。従って回路配置の作動中も出力負荷の除去を直ちに検出することができる。さらに、回路配置が出力負荷無く作動した場合に、次の作動時に出力負荷の正しい接続を直ちに検出することもできる。例えば回路配置をパーソナルコンピュータに用いる場合には、コンピュータの起動中だけでなく、定常作動中もチェックを行なうことができる。
【００１１】
請求項２に規定された本発明の例に使用される寸法決めの場合には、比較回路に供給された２つの信号ののデューティサイクルを直接比較するだけで、出力負荷の正しい接続および大きさに関する結論をくだすことができる。
【００１２】
請求項３、４および５に規定された他の例では、比較すべき信号は、これらを比較回路に供給する前に、所望に応じ予備処理することができる。斯様にしてデジタル−アナログ電流変換器の信号遅延を補償することができ、また、適用可能であれば、信号を平滑化し、デューティサイクルの検出を比較回路の前段で既に可能となるようにする。
【００１３】
本発明回路配置はビデオ信号の変換に有利に用いるることができ、これによって、請求項６および７に規定された他の例を有利に用いることができる。
【００１４】
請求項８に規定された本発明の他の例では、出力負荷の検出結果を用いてアナログ−デジタル電流変換器の出力信号を抑圧しターンオフすることができる。これがため、出力負荷が存在しない場合には、出力信号を発生しない。
【００１５】
請求項９に示すように、出力信号のこの抑圧は比較回路によって制御するのが有利である。
【００１６】
【実施例】
図面につき本発明を説明する。
デジタル−アナログ電流変換器１はその入力側にｎ−ビットデータワードＳｄを受けるとともにこれらデータワードをアナログ領域（ドメイン）に変換し、これによりアナログ出力信号Ｓａを発生する。これら信号ＳｄおよびＳａは例えばビデオ信号とすることができる。
【００１７】
アナログ信号Ｓａを基準電位点に結合された第１抵抗２に供給する。所望に応じ、この信号をケーブル３を経て外部出力負荷４に供給する。この出力負荷４を前記基準電位点にも結合する。
【００１８】
例えば、パーソナルコンピュータに使用すべきビデオ信号の場合には、出力負荷４を７５Ωとする必要がある。例えば、前記第１抵抗が同一の値を有する場合には総合出力負荷は３７. ５Ωとなり、これによりデジタル−アナログ電流変換器１の出力側の電圧および抵抗２または並列接続の２つの抵抗の両端間の電圧は例えば最大１Ｖの公称値となる。外部出力負荷４を除去すると、７５Ωの第１抵抗のみが有効となり、その結果デジタル−アナログ電流変換器１の出力側またはこの抵抗２の両端間の電圧は正しく接続された出力負荷の場合の２倍の大きさとなる。この影響は不所望であるため、開始時の出力電圧を従来技術に従って１回検出する。従って続くモニタ処理が不可能となる。しかし、出力負荷を断続することもできるため、図１に示す本発明回路配置によって出力負荷を連続的にモニタすることもできる。
【００１９】
この目的のため、デジタル−アナログ電流変換器１の出力側の出力電圧または抵抗２または並列接続の抵抗２および４の両端間の出力負荷の出力電圧をアナログ比較器５の反転入力端子６に供給する。比較電圧ＶK を比較器５の非反転入力端子に供給する。これがため、比較器５は出力電圧と比較電圧とを連続的に比較する。この比較に基づいて、出力信号を発生し、これをアナログ比較器５の後段に設けられたデジタルフリップフロップ８によってデジタルイエス−ノー信号に変換する。従って、フリップフロップ８の出力信号はデジタル−アナログ電流変換器１の出力側の電圧降下が比較電圧ＶK よりも大きいか、またはちいさいかに関する情報を供給する。
【００２０】
フリップフロップ８によって供給された信号Ｂａを低域通過フィルタ９およびその後段に設けられた検出回路１０に供給し、この検出回路によって信号のデューティサイクルを検出するとともに関連する信号Ｔａを比較回路１１に供給する。
【００２１】
これがため、回路素子５、８、９および１０が出力電圧および比較電圧を連続的に比較し、且つデジタルドメインへの変換後、発生信号を低域通過フィルタ処理し、各デューティサイクルを検出し得るようにし、これにより出力電圧が比較電圧よりも大きくなる時間間隔および出力電圧が比較電圧よりも小さくなる時間間隔に関する結論を直接くだし得るようにする。
【００２２】
さらに、固定データワードＦK を供給する第１入力端子および連続的に変化するデータワードＳｄを供給する第２入力端子を有するデジタル第２比較器１２を設ける。この連続的に変化するデータワードＳｄはデジタル−アナログ電流変換器１にも供給する。デジタル最大値および固定データワードＦK 間の比および最大アナログ出力電圧および固定データワードＦK 間の比は互いに等しくなるように選定するのが有利である。
【００２３】
これがため、デジタル第２比較器１２によってこれら２つのデータワードを比較し、比較結果に関する情報を連続的に提供する出力信号を発生する。第２比較器１２の後段に配列された遅延素子１３によってデジタル−アナログ電流変換器１により発生した信号遅延を補償する。斯くして得られた信号Ｂｄを低域通過フィルタ１４およびこの低域通過フィルタの後段に配列された検出回路１５に供給して関連するデューティサイクルを検出する。この検出器によって発生した出力信号Ｔｄによって、第１検出回路１０により供給された信号Ｔａと同様に、それぞれ、デジタルデータワードおよびアナログ出力信号が、それぞれ、比較データワードＦK および比較電圧ＶK よりも大きいかまたは小さい時間間隔間の比に関する情報を提供する。
【００２４】
信号ＴｄおよびＴａは比較回路１１によって比較する。出力負荷が存在するかどうか、および出力負荷がほぼ所定の大きさを有するかどうかは瞬時デューティサイクルから直接推測することができる。比較データワードＦK および比較電圧ＶK の大きさは、出力負荷が正しく接続された場合に、ほぼ同一のデューティサイクルが信号ＢｄおよびＢａに発生し、信号ＴｄおよびＴａで示されるように決めることができる。しかし、出力信号を取除く場合にはデジタル−アナログ電流変換器１の出力側の電圧が比較電圧よりも大きいこれら時間間隔の長さが明らかに増大して、比較器５により関連する比較結果を発生し、これにより、結局、関連するデューティサイクルを信号Ｔａに導くようになる。しかし、これにより信号Ｔｄを変化せしめないため、２つの信号は明らかに異なるデューティサイクルを示し、これは、出力負荷が除去されたことを示す。これがため出力負荷の値の常規値からの変移の大きさおよび符号をデューティサイクルの相対的変移の大きさおよび符号から導出することができる。例えば、出力負荷が小さすぎる場合にはデジタル−アナログ電流変換器１の両端間の出力電圧は常規出力負荷の場合よりもさらに降下し、その結果、電圧は長い時間間隔の場合の比較電圧よりも小さくなる。信号Ｔａによって関連する結果を発生し、これからこの変移を推測することができる。
【００２５】
所望に応じ、数個の比較データワードＦK および比較電圧ＶK は一層高い精度で比較することができる。これにより電圧比を一層正確に検出することができる。
【００２６】
何れの場合にも、本発明回路配置によってデジタルワードおよびアナログ出力電圧を連続的に比較して任意瞬時に示すが接続され、充分に正しい大きさを有するかどうかを検出することができる。
【００２７】
本発明回路配置は複数の比較データワードおよび関連する基準電圧を用いるのが有利である。これがため、両信号の複数の振幅値から負および正の変移を比較することができ、且つ関連するデューティサイクルを評価することができる。これにより出力電圧を一層正確にモニタすることができる。
【００２８】
また、本発明回路配置を用いて上述したようにデジタル−アナログ電流変換器１の出力振幅を設定することもできる。この目的のため、比較データを供給して基準電圧と比較する。２つの信号を評価する際にほぼ等しいデューティサイクルが得られる場合には、デジタル−アナログ電流変換器の出力振幅を正しく設定する。
【００２９】
また、本発明回路配置を用いて出力信号Ｓａの信号帯域幅をモニタし、出力負荷を流れる外部信号の外部導入をモニタすることができる。
【００３０】
かかる信号導入をモニタするために、デジタル−アナログ電流変換器１の出力を高インピーダンス状態に内部的に切換えるようにする。一定の低い値に等しくならない信号が現われるかどうかはアナログ比較器によって測定する。そうでない場合には信号を出力側から導入することを意味し、即ち、外部導入が生じる。
【図面の簡単な説明】
【図１】  図はデジタル−アナログ電流変換器を含む本発明回路配置の構成を示すブロック図である。
【符号の説明】
１  デジタル−アナログでり変換器
２  第１抵抗
３  ケーブル
４  出力負荷
５  アナログ比較器
６  反転入力端子
７  非反転入力端子
８  フリップフロップ
９  低域通過フィルタ
１０  検出回路
１１  比較回路
１２  デジタル第２比較器
１３  遅延素子
１４  低域通過フィルタ
１５  検出回路
【図１】
0004143699.tif 000002